(57)【要約】 【課題】ペットに不快感を与えることなく、体温データを検出できるＩＣタグ、それを用いたペット監視システムの提供。【解決手段】本発明のペット監視システムは、埋め込み可能な温度測定部を有するＩＣタグを埋め込まれたペットから、体温情報を読取り、前記ペットの体温情報を監視することを特徴とする。また、埋め込み可能な温度測定部を有するＩＣタグを埋め込まれたペットから、体温情報を読取り、平常時の体温データと比較し、所定値の体温変化があるかどうか判断し、異常と判断した場合にアラームを発生することを特徴とする。【選択図】  図１
2007135475.tif 000002
【特許請求の範囲】
【請求項１】
ペットの体内に埋め込み可能な温度測定部を有するＩＣタグ。
【請求項２】
埋め込み可能な温度測定部を有するＩＣタグを埋め込まれたペットから、体温情報を読取り、前記ペットの体温情報を監視することを特徴とするペット監視システム。
【請求項３】
埋め込み可能な温度測定部を有するＩＣタグを埋め込まれたペットから、体温情報を読取り、平常時の体温データと比較し、所定値の体温変化があるかどうか判断し、異常と判断した場合にアラームを発生することを特徴とするペット監視システム。
【請求項４】
埋め込み可能な温度測定部を有するＩＣタグを埋め込まれたペットから、体温情報を読取る工程のプログラムと、平常時の体温データと比較し、所定値の体温変化があるかどうか判断する工程のプログラムと、異常と判断した場合にアラームを発生する工程のプログラムが記憶されたことを特徴とするペット監視システムに用いるコンピュータで読取り可能な記憶媒体。
【発明の詳細な説明】
【技術分野】
【０００１】
本発明は、ペット、特に、イヌやネコ等の体温情報を容易に取得できるＩＣタグ、それを埋めこまれたペットからの体温情報を監視するペット監視システムに関する。
【背景技術】
【０００２】
近年、犬等のペットの寿命が延び、ペットを飼育する際の日々の健康管理の必要性が高まってきている。こうした状況で、服状のセンサーモジュールをペットに装着して心拍、心拍変化率を測定し、ペットの生体状態を無線で把握する装置が提案されている（特許文献１）。しかしながら、体温を測定するものでなく、センサー部は電極を含み、必ずペットの皮膚と接触するもので少なからず不快感を与えるものである。首輪に埋め込まれた非接触型のＩＣチップにより、ＩＤコードと照合し、飼い主情報、連絡先情報を速やかに取得できる管理システムが提案されている（特許文献２）。また、温度センサと一体化されたＩＣタグにより、軸受の異常検査システムが提案されている（特許文献３）ものの、ペットの体温データを監視するシステムは未だ提案されていない。
【特許文献１】特開２００４−１３８号公報
【特許文献２】特開２００４−３５７５８９号公報
【特許文献３】特開２００５−３２２５６号公報
【発明の開示】
【発明が解決しようとする課題】
【０００３】
本発明の目的は、上記問題を解決するためになされたもので、ペットに不快感を与えることなく、体温データを検出できるＩＣタグ、それを用いたペット監視システムを提供することにある。
【課題を解決するための手段】
【０００４】
上記課題を解決するために、本発明のＩＣタグは、温度測定部を有し、ペットの体内に埋め込み可能なものである。また、本発明のペット監視システムは、埋め込み可能な温度測定部を有するＩＣタグを埋め込まれたペットから、体温情報を読取り、ペットの体温情報を監視することを特徴とする。また、埋め込み可能な温度測定部を有するＩＣタグを埋め込まれたペットから、体温情報を読取り、平常時の体温データと比較し、所定値の体温変化があるかどうか判断し、異常と判断した場合にアラームを発生することを特徴とする。また、本発明のペット監視システムに用いる、プログラムが記憶されたコンピュータで読取り可能な記憶媒体は、埋め込み可能な温度測定部を有するＩＣタグを埋め込まれたペットから、体温情報を読取る工程のプログラムと、平常時の体温データと比較し、所定値の体温変化があるかどうか判断する工程のプログラムと、異常と判断した場合にアラームを発生する工程のプログラムを含む。
【発明の効果】
【０００５】
本発明の温度測定部を有するＩＣタグ及びそれを用いたペット監視システムによれば、ペットに行動の自由を与え、不快感を与えることなく、体温データを検出でき、体温異常を速やか判断できる。
【発明を実施するための最良の形態】
【０００６】
図１は、本発明の一実施例を示すプロック図を含む図である。なお、本発明は、実施例に限定されるものではない。
【０００７】
図１において、Ｐはイヌ，ネコなどのペットで、背中等の生体内に温度測定部を有するＩＣタグ（ＲＦＩＤ）１００が埋め込まれている。このため、ペットＰは、屋内、屋外を問わず、自由に動き回ることができる。
【０００８】
図１において、ペットＰは、図１に示すように埋め込まれているＩＣタグ１００の体温情報を読取ることにより、監視している。体温情報は、屋内、屋外を問わず、間歇測定可能である。
【０００９】
携帯電話型の携帯装置（端末装置）５０は、制御部（ＣＰＵ）５１０、表示部５１３、外部通信部５５２、ＩＣタグ読取り部５５３、入力部５１４、記憶部５１９を備えている。携帯装置５０と管理／獣医師サイト７、会員サーバー９とは、外部通信部５５２、情報通信ネットワーク８を介して、相互に情報が伝送できるようになっている。なお、５１７は撮像部（カメラ）である。携帯装置（端末装置）５０は、必ずしも携帯端末で有る必要はなく、飼い主が自宅等で据え置き型にしてもよいし、携帯端末と併用してもよい。会員サーバー９には、会員情報（飼い主の情報（氏名，住所，会員番号（ＩＤ）等やその会員が飼育しているペットの情報（種類，性別，血統，生年月日，生まれた場所，予防接種の情報等），その他各種サービスの情報が記憶されている。
【００１０】
制御部（ＣＰＵ）５１０は、ＲＯＭ５５７，ＲＡＭ５５８などに記憶されたコンピュータ読み取り可能なプログラム、所定の条件などに基づいてシステム全体の処理フローを実行する制御部（ＣＰＵ）である。また、入力部５１４は、必要に応じて伝言，メモ，生体情報等が年月日・時刻情報とともに入力可能となっている。生体情報としては、血糖値，尿試験情報（尿糖，潜血，尿タンパク等），血圧値，心拍数，呼吸数，体重，体長などである。これらの情報を入力部５１４で都度入力し、記憶部５１９に記憶するか、情報通信ネットワーク８を通じて会員サーバー８に会員のＩＤ、ペットＰのＩＤと併せて記憶し、成長記録が確認できるようにしておき、種々の会員サービスを受けられるようにしてもよい。ＩＣタグ読み取り部５５３は、１０〜６０分毎に間歇的に１３．５６ＭＨｚの電磁波を発生させて、ペットＰの適所、背中等に埋め込まれたＩＣタグ１００に送信し、温度測定部で測定される体温情報を読取る。なお、５５６は、温度センサで室温，外気温を測定するためのものである。制御部５１０は、システム全体の処理や体温データの演算処理を行い、ペットＰの体温の状態を監視・判断する。体温データの演算処理には、ペットＰの平常時の生体データとのパターン比較などが含まれる。管理／獣医師サイト７において、７０は、コンピュータ（端末装置）、７１は、システム全体の処理フローを実行する制御部（ＣＰＵ）、７２は、外部通信部、７３は表示部、７４は入力部、７５は記憶部、７６は演算部である。
【００１１】
＜ＩＣタグの構成＞
図２において、１０１は、携帯端末５０のＩＣタグ読み取り部５５３からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、体温情報も記憶可能である。なお、ロジック部１１０は、より複雑な処理フローの制御が可能なＣＰＵとしてもよい。温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、ペットＰに設けられた温度測定部を有するＩＣタグ（ＩＲＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。１０７はＡ／Ｄ変換部であり、温度センサ１０６と発振回路（不図示）で発生した体温信号をＡ／Ｄ変換するものである。ＩＣタグ１００は、アンテナ１０３ａを含めて５ｍｍ×５ｍｍ、厚さ１．５ｍｍ程度の大きさであり、生体適合性材料、例えば、ウレタン樹脂などで液密に囲包されている。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。体温情報もＥＥＰＲＯＭ１０２に記憶できる。また、ＥＥＰＲＯＭ１０２には、飼い主の情報（氏名，住所，会員番号（ＩＤ）等）やペットの情報（種類，性別，血統，生年月日，生まれた場所，予防接種の情報等）が記憶されている。こうして、仮に迷いペットとなっても、ＩＣタグ（ＲＦＩＤ）１００の情報を読取ることで、飼い主が容易に判明し、連絡することができる。
【００１２】
測定間隔は１０〜３０分間でなく、任意の間隔に設定できる。また、温度上昇率（℃／分）が所定の上昇率を越えたときに、測定間隔を５〜１０分程度に短くするようにしてもよい。判断手段は、例えば、ペットＰの体温の状態を次のような判断基準に基づき判定する。体温が予め設定していた健康とされる数値範囲内であれば、健康（異常なし）である。また、携帯端末５０に外気温を測定するための温度センサ５５６を設け、測定された外気温をペットＰの体温情報と併せて、図３に示すように表示部５１３に表示するようにしてもよい。測定されたペットＰの体温が所定の数値範囲以外にある時は、音声，アラーム，表示などで報知する。
【００１３】
＜体温情報取得の処理フロー＞
図４は、体温情報取得の処理フローを示すものである。入力部５１４で測定開始の指示入力を行なう(あるいは、開始日時時刻を予め設定入力しておき、自動で開始するようにする)（ステップＳ１）。体温情報は、外出時等屋外では、５〜１０分毎に、室内においては、３０〜６０分毎に、ＩＣタグ１００にＩＣタグ読取り部５５３から１３．５６ＭＨｚの電磁波を送信（送受信距離は、１０ｃｍ〜１ｍ程度）し、その信号と同期して得られる温度センサ１０６の体温情報を読取る（ステップＳ２）。これらの体温情報は、気温情報と併せて記憶部４４に記憶される(ステップＳ３)。この体温情報は閾値と比較される（ステップＳ４）。この生体情報は閾値と比較される。例えば、体温（直腸温）の場合、大型のイヌで平均体温は３７．５〜３８．６℃、小型のイヌで平均体温は３８．６〜３９．２℃、ネコで３８．０〜３９．２℃であることを考慮して、イヌの場合、デフォルト値として、例えば、上限値を３９．０℃、下限値を３６．０℃としている。この上限値、下限値は、飼い主により適宜設定変更可能としている。この体温情報が異常と判断されると、アラームを発生させ（ステップＳ５）、携帯端末５０の表示部５１３に表示したり、ブザーや音声などでも報知するようにする。情報ネットワーク８を介して、管理／獣医師７の担当医に報知するようにしてもよい。また、撮像部（カメラ）５１７でペットＰを撮影し、その画像を情報ネットワーク８を介して、管理／獣医師７の担当医に送信することで、ペツトＰの状態を判断してもらい、携帯端末５０にフィードバックしてもらうようにしてもよい。異常が無い場合は、ステップＳ１に戻り、設定された時間の間、体温情報を所定の間隔（分）で得るようにする。図３は、携帯端末５０の表示部５１３に表示される体温／気温の表示例である。ペットＰのか画像情報も表示できるようになっている。このような表示は情報通信ネットワーク８を介して、管理／獣医師サイト７のコンピュータ７０の表示部７３に表示できるようになっている。
【図面の簡単な説明】
【００１４】
【図１】本発明の一実施例を示す図とブロック図である。
【図２】本発明の実施例の温度測定部を有するＩＣタグのブロック図である。
【図３】本発明の実施例に係る表示例を示す図である。
【図４】本発明の実施例に係る生体情報の取得処理フローを示す図である。
【符号の説明】
【００１５】
７・・・管理サイト、８・・・情報通信ネットワーク、９・・・会員サーバー、５０・・・：携帯端末、１００・・・ＩＣタグ、１０１・・・ＲＡＭ、１０２・・・ＥＥＰＲＯＭ、１０３・・・送信受信回路、１０３ａ・・・アンテナ、１０６・・・温度センサ、Ｐ・・・ペット
【図１】
2007135475.tif 000003
【図２】
2007135475.tif 000004
【図３】
2007135475.tif 000005
【図４】
2007135475.tif 000006
【手続補正書】
【提出日】平成18年4月7日(2006.4.7)
【手続補正１】
【補正対象書類名】明細書
【補正対象項目名】００１３
【補正方法】変更
【補正の内容】
【００１３】
＜体温情報取得の処理フロー＞
図４は、体温情報取得の処理フローを示すものである。入力部５１４で測定開始の指示入力を行なう(あるいは、開始日時時刻を予め設定入力しておき、自動で開始するようにする)（ステップＳ１）。体温情報は、外出時等屋外では、５〜１０分毎に、室内においては、３０〜６０分毎に、ＩＣタグ１００にＩＣタグ読取り部５５３から１３．５６ＭＨｚまたは８６０〜９６０ＭＨｚ（ＵＨＦ帯）の電磁波を送信（送受信距離は、１０ｃｍ〜１ｍ程度）し、その信号と同期して得られる温度センサ１０６の体温情報を読取る（ステップＳ２）。これらの体温情報は、気温情報と併せて記憶部４４に記憶される(ステップＳ３)。この体温情報は閾値と比較される（ステップＳ４）。この生体情報は閾値と比較される。例えば、体温（直腸温）の場合、大型のイヌで平均体温は３７．５〜３８．６℃、小型のイヌで平均体温は３８．６〜３９．２℃、ネコで３８．０〜３９．２℃であることを考慮して、イヌの場合、デフォルト値として、例えば、上限値を３９．０℃、下限値を３６．０℃としている。この上限値、下限値は、飼い主により適宜設定変更可能としている。この体温情報が異常と判断されると、アラームを発生させ（ステップＳ５）、携帯端末５０の表示部５１３に表示したり、ブザーや音声などでも報知するようにする。情報ネットワーク８を介して、管理／獣医師７の担当医に報知するようにしてもよい。また、撮像部（カメラ）５１７でペットＰを撮影し、その画像を情報ネットワーク８を介して、管理／獣医師７の担当医に送信することで、ペツトＰの状態を判断してもらい、携帯端末５０にフィードバックしてもらうようにしてもよい。異常が無い場合は、ステップＳ１に戻り、設定された時間の間、体温情報を所定の間隔（分）で得るようにする。図３は、携帯端末５０の表示部５１３に表示される体温／気温の表示例である。ペットＰのか画像情報も表示できるようになっている。このような表示は情報通信ネットワーク８を介して、管理／獣医師サイト７のコンピュータ７０の表示部７３に表示できるようになっている。